(57)【特許請求の範囲】
【請求項１】
モアデッキ（１３）内において回転する刈刃（１６，１６…）の外周を中央のガイド体（１８ａ）及び左右のガイド体（１８ｂ，１８ｃ）で囲うマルチングモアにおいて、刈刃（１６，１６…）の軸（１７，１７…）を複数配設する複軸構成とし、上記ガイド体（１８ａ，１８ｂ，１８ｃ）の進行方向前側の下端縁を、刈刃（１６，１６…）の前方側位置では当該刈刃（１６，１６…）がのぞむようガイド体（１８ａ，１８ｂ，１８ｃ）のモアデッキ天井からの高さを適宜高さに短く形成し、上記中央のガイド体（１８ａ）と隣接する部位の仕切壁となる縦壁（２０）に切欠部（２１）を形成すると共に、この切欠部（２１）の進行方向前側を斜めに切欠いて三角状板（２３）を固着し、進行方向後側は起立縁に形成してなるマルチングモア。
【発明の詳細な説明】
【０００１】
【発明の属する技術分野】
この発明は、芝等をモアデッキ内で持ち回させながら細かく細断し芝目の間に落していくマルチングモアに関する。
【０００２】
【従来技術】
従来、このようなモアはモアデッキ内に刈刃とこれの外周を囲うガイド体とを設け、芝を所定高さに刈刃で刈り、裁断した芝を適宜浮上させつつデッキ内を持ち回らせ、これを再び刈刃で細かく裁断する形態がある。
【０００３】
【発明が解決しようとする課題】
ところが、このような従来装置にあっては、持ち回りさせつつ落下させる関係でガイド体が不可欠であるため、モアデッキの内側では該ガイド体の倒伏作用から脱しつつある芝を刈る必要があるために、刈刃の前面を開放状態とする構成となり、裁断された芝の持ち回りを損なうものとなる。
【０００４】
【課題を解決するための技術手段】
この発明は前記した課題を解消しようとするものであり、併せて刈芝の芝目間への落下を適正ならしめようとするものである。このため、この発明は次のような技術的手段を講じた。即ち、モアデッキ（１３）内において回転する刈刃（１６，１６…）の外周を中央のガイド体（１８ａ）及び左右のガイド体（１８ｂ，１８ｃ）で囲うマルチングモアにおいて、刈刃（１６，１６…）の軸（１７，１７…）を複数配設する複軸構成とし、上記ガイド体（１８ａ，１８ｂ，１８ｃ）の進行方向前側の下端縁を、刈刃（１６，１６…）の前方側位置では当該刈刃（１６，１６…）がのぞむようガイド体（１８ａ，１８ｂ，１８ｃ）のモアデッキ天井からの高さを適宜高さに短く形成し、上記中央のガイド体（１８ａ）と隣接する部位の仕切壁となる縦壁（２０）に切欠部（２１）を形成すると共に、この切欠部（２１）の進行方向前側を斜めに切欠いて三角状板（２３）を固着し、進行方向後側は起立縁に形成するものである。
【０００５】
【０００６】
【発明の実施の形態】
以下、図面に基づきこの発明の実施例を説明する。まず、構成から説明すると、１は動力車両としての一例を示すトラクタで前輪２、２と後輪３、３を備え、機体前部に搭載したエンジン５の回転動力をミッションケース６内の変速装置（図示省略）を介して適宜減速し、これを前輪２、２と後輪３、３とに伝えるように構成している。
【０００７】
前記ミッションケース６には油圧式の無段変速装置が備えられ、フロア７の右側に設けた前後進ペダル（図示省略）を踏み込むことにより機体が前進あるいは後進する。ミッションケース６の後部にはリヤＰＴＯ軸９が突設され、中央下部には前方へ向けてミッドＰＴＯ軸１０が突設されている。
【０００８】
機体下部にはリンク機構１２を介してモアデッキ１３が昇降自在に取り付けられている。そして、座席右側の油圧操作レバー（図示省略）を前後方向に操作することによりモアデッキ１３が上下に移動して刈り高さを調節する。モアデッキ１３内には図２に示すように３組の刈刃１６，１６…が横方向に所定間隔をあけて回転軸１７，１７…に夫々軸支されており、前記のミッドＰＴＯ軸１０から回転動力を得てこれら刈刃１６，１６…が回転するように構成している。
【０００９】
そして、これらの刈刃１６，１６…は円筒状のガイド体１８でその回転外周側が囲われている。前記刈刃１６，１６…はいずれも下部側の長いブレード１６ａと上部側の短いブレード１６ｂを十字状に交叉させて回転軸１７に設けたもので、長いブレード１６ａの前縁には刃部(イ)を設けると共にその外側部には立上状の起風部１６ｃを設け、一方、上部の短いブレード１６ｂの前縁にも刃部(ロ)を設け、その外側には刈り取った草をたたき落すためのたたき落とし部１６ｄを設けている。なお、上記長いブレードの刃部(イ)は刃先が下方に向い角αを形成し、上位の短いブレード１６ｂの刃部ロは刃先が上方に向い角βを形成すべく構成している。
【００１０】
また、上記短いブレード１６ｂは、中央の回転軸１７との連結部が最も下位となってモアデッキ１３の天井から離れ、除々にこの天井に近づくべくその回転軌跡がすり鉢状を呈するよう形成される。図４はモアデッキ１３に溶接等の手段で吊り下げ状に固着されるガイド体１８の斜視図を示すものである。中央のガイド体１８ａは左右のガイド体１８ｂ，１８ｃよりも前方に突出しており、隣接する部位は以下のようになっている。つまり、中央のガイド体１８ａを完全円周に形成し、左右のガイド体１８ｂ，１８ｃの外周を一部欠如して該欠如によって形成される端縁を中央のガイド体１８ａに接合固定するものである。
【００１１】
符号２０は中央のガイド体１８ａの一部であって、隣接する部位の仕切壁となる縦壁を示し、下端側には隣接する長いブレードの刃部(イ)先端が当該ガイド体に干渉しないよう切欠部２１を存在させている。なお、この実施例ではガイド体１８の隣接する部位を斜めに切欠いて三角状の板２３を溶接等により固着する形態としている。このように隣接部に板２３を固着することによって移動中の刈草がガイド体１８ａ、１８ｂの隅部に引っ掛ったりしないようにしている。なお、この斜めの切欠きは進行方向前側のみとし、後側は起立縁を残して芝草の排出移動を少なくしている。
【００１２】
また、ガイド体１８の内周面と長いブレード１６ａの回転軌跡ハとの間隔は、進行方向前側の間隔Ｌ1に対し、後ろ側の間隔Ｌ2が広い関係（例えばＬ1＝１０ｍｍ，Ｌ2＝２０ｍｍ）に設けられ、当該前側から後ろ側に向かうに従い除々にその間隔は広くなる関係に設けられる。さらにガイド体１８と長いブレード１６ａとの上下位置関係について、進行方向前方側では、このブレード１６ａは植立する芝に直接作用してこれの上部を適宜裁断しなければならないから、ブレード１６ａの位置よりもガイド体１８前側下端は高い関係に設定される。本実施例では、中央のガイド体１８ａと左右のガイド体１８ｂ及び１８ｂとの繋ぎ部分で最もブレード１６ａが現れ（図７中(ニ)）、端部側でブレード高さに略揃う（同図中(ホ)）よう形成されている。一方、前側以外ではガイド体１８下端はこのブレード１６ａ位置と同等かあるいはこれよりも低く設定されて、刈り芝の飛散を防いでいる。従って前側で刈り取られた刈り芝は持ち回りされつつ後側では確実に芝目間に落下しうる。
【００１３】
また、ガイド体１８の上下高さは一定ではなく、図４に示すように中央のガイド体１８ａ後側と左右のガイド体１８ｂ下部の上下方向の長さが僅かに短くなるようにしている。従って、個々のガイド体１８内で刈り取られた芝や草の量が多くなるとこの隙間（図４のハッチング部）を介して細かい刈り草等は後方へ放出されることになる。
【００１４】
また、マルチング作業での草のこぼれを少なくするためにこの実施例の装置には次のような工夫が施されている。即ち、図９に示すようにガイド体１８を包み込むモアデッキ１３は刈刃１６下端部（長いブレードの刃部(イ)）から９０ｍｍ以上（図中符号Ａ）の空間部が設けてあり、モアデッキ１３の下端部から刈刃１６の下端までの距離は約１０ｍｍ程度（図中符号Ｂ）である。
【００１５】
平面から見たときの隣接する刈刃同士のオーバーラップ代は草の刈り残しにも影響を及ぼすものであり、ここで説明した装置においては約３０ｍｍに設定している。従って、左右にハンドルを切った蛇行状態であっても、刈り残しを伴わず安定して作業を継続できる。更に刈刃１６の周速は７６ｍ／ｓｅｃにしている。２５はゲージ輪である。
【００１６】
上例において芝や草の刈取作業を行なう場合には、まずゲージ輪２５を上下調節して刈り高さを設定し、エンジン５を回転させてミッドＰＴＯ軸１０を回転駆動させる。すると３枚の刈刃１６が回転を始め、トラクタを前進(ヘ)させて芝や草を刈り取る。即ち、トラクタ進行と共にデッキ下縁を潜りかつガイド体１８前縁で前倒し状となった植立芝は長いブレード１６ａの作用を受けて裁断される。トラクタの前進(ヘ)を伴うため、下部側の長いブレード１６ａで裁断された上記の芝は一度持ち上げられた後、下部ブレート１６ａと一体的に回っている上部側の短いブレード１６ｂによって更に細かく裁断されると共に今度は下向きに放出されガイド体１７下部に落下させられる。
【００１７】
個々のガイド体１７内で細かく裁断された芝や草は、主としてガイド体１８ａ，１８ｂ，１８ｃの内周縁と長いブレード１６ａの回転軌跡(ハ)との間隔部から芝目間に落下する。
【００１８】
【発明の作用及び効果】
この発明は前記の如く、モアデッキ（１３）内において回転する刈刃（１６，１６…）の外周を中央のガイド体（１８ａ）及び左右のガイド体（１８ｂ，１８ｃ）で囲うマルチングモアにおいて、刈刃（１６，１６…）の軸（１７，１７…）を複数配設する複軸構成とし、上記ガイド体（１８ａ，１８ｂ，１８ｃ）の進行方向前側の下端縁を、刈刃（１６，１６…）の前方側位置では当該刈刃（１６，１６…）がのぞむようガイド体（１８ａ，１８ｂ，１８ｃ）のモアデッキ天井からの高さを適宜高さに短く形成してなるから、進行方向前方側では、刈刃（１６，１６…）は植立する芝に直接作用してこれの上部を円滑に裁断することができる。
また、上記中央のガイド体（１８ａ）と隣接する部位の仕切壁となる縦壁（２０）に切欠部（２１）を形成すると共に、この切欠部（２１）の進行方向前側を斜めに切欠いて三角状板（２３）を固着するから、移動中の刈草がガイド体（１８ａ，１８ｂ）の隅部に引っ掛からない。
【００１９】
【００２０】
【図面の簡単な説明】
【図１】全体側面図である。
【図２】要部の平断面図である。
【図３】要部の側断面図である。
【図４】ガイド体の斜視図である。
【図５】ブレードの斜視図である。
【図６】底面から見た要部の斜視図である。
【図７】ガイド体の正面図である。
【図８】ガイド体の背面図である。
【図９】作用説明図である。
【図１０】モアデッキ平面図である。
【図１１】ブレードの平面図である。
【図１２】ブレードの正面図である。
【図１３】ブレードの右側面図である。
【符号の説明】
１…トラクタ、２，２…前輪、３，３…後輪、５…エンジン、６…ミッションケース、７…フロア、９…リヤＰＴＯ軸、１０…ミッドＰＴＯ軸、１２…リンク機構、１３…モアデッキ、１６，１６…刈刃、１６ａ，１６ｂ…ブレード、１７…回転軸、１８，１８ａ，１８ｂ，１８ｃ…ガイド体、２０…縦壁、２１…切欠部、２３…板、２５…ゲージ輪
【図１】
0003858494.tif 000002
【図２】
0003858494.tif 000003
【図３】
0003858494.tif 000004
【図４】
0003858494.tif 000005
【図５】
0003858494.tif 000006
【図６】
0003858494.tif 000007
【図７】
0003858494.tif 000008
【図８】
0003858494.tif 000009
【図９】
0003858494.tif 000010
【図１０】
0003858494.tif 000011
【図１１】
0003858494.tif 000012
【図１２】
0003858494.tif 000013
【図１３】
0003858494.tif 000014